(57)【要約】【課題】弾性リング体が挿入された緩み止めナットに螺合されたとき、弾性リング体の摩擦力にかかわらず安定した緩み止め効果が得られるボルトを提供する。【解決手段】雌ねじ部１６と、雌ねじ部１６と同軸上にリング状に形成され弾性を有するリング体１８とを備えた緩み止めナット１５に螺合されるボルト１であって、ボルト１の雄ねじ部２の外周にはボルト１の軸心４方向に沿った溝部５が形成されており、ボルト１が緩み止めナット１５に螺合されて雄ねじ部２がリング体１８に挿入されたとき、ボルト１の雄ねじの山部６に押圧されてリング体１８の内周に形成される雌ねじ１９の谷部には溝部５に突出した凸部２０が形成され、該凸部２０が溝部５に嵌合するので、弾性リング体１８が挿入された緩み止めナット１５にボルト１が螺合されたとき、弾性リング体１８の摩擦力にかかわらず安定した緩み止め効果が得られる。【選択図】図５
2013029119.tif 000002
【特許請求の範囲】
【請求項１】
雌ねじ部と、雌ねじ部と同軸上にリング状に形成され弾性を有するリング体とを備えたナットに螺合されるボルトであって、
ボルトの雄ねじ部の外周にはボルトの軸心方向に沿った溝部が形成されており、
ボルトがナットに螺合されて雄ねじ部がリング体に挿入されたとき、ボルトの雄ねじの山部に押圧されてリング体の内周に形成される雌ねじの谷部には溝部に突出した凸部が形成され、該凸部が溝部に嵌合することを特徴とするボルト。
【発明の詳細な説明】
【技術分野】
【０００１】
本発明は、ボルトの回転防止構造に関し、詳しくは、雌ねじに樹脂リングが連設されたナットに螺合するボルトの緩み止めを図るものである。
【背景技術】
【０００２】
従来、雌ねじに隣接して樹脂製のリングが一体的に設けられたナットがある。ナットの雌ねじに螺合したボルトの雄ねじが、さらに螺合されて樹脂リングに挿入されると、樹脂リングは弾性変形して、内周に雄ねじと螺合する雌ねじが形成される。ボルトの雄ねじは、弾性変形して形成されたリングの雌ねじに圧接するので、ボルトが緩みかけると、雄ねじが樹脂リングからの摩擦力を受けて緩み止めが図られる。
【０００３】
特許文献１にはこのような緩み止めナットについての考案が記載されている。緩み止めナットは、雌ねじ部と、雌ねじ部と同軸方向に形成された中空凹部とを備え、該中空凹部には弾性樹脂材からなる弾性リング体が挿入されている。
【先行技術文献】
【特許文献】
【０００４】
【特許文献１】実開平３−５１２１２号公報
【発明の概要】
【発明が解決しようとする課題】
【０００５】
ナットの中空凹部に設けられた弾性リング体をボルトの雄ねじに圧接させて、雄ねじに摩擦力を与えるものでは、弾性リング体の摩擦力が安定しないために、緩み止め効果が十分に発揮されない場合がある。
本発明の目的は、弾性リング体を備えた緩み止めナットに螺合されたとき、弾性リング体の摩擦力にかかわらず安定した緩み止め効果が得られるボルトを提供することである。
【課題を解決するための手段】
【０００６】
請求項１に記載の発明は、雌ねじ部と、雌ねじ部と同軸上にリング状に形成され弾性を有するリング体とを備えたナットに螺合されるボルトであって、ボルトの雄ねじ部の外周にはボルトの軸心方向に沿った溝部が形成されており、ボルトがナットに螺合されて雄ねじ部がリング体に挿入されたとき、ボルトの雄ねじの山部に押圧されてリング体の内周に形成される雌ねじの谷部には溝部に突出した凸部が形成され、該凸部が溝部に嵌合するものである。
【発明の効果】
【０００７】
請求項１の発明によれば、ボルトがナットに螺合されて雄ねじ部がリング体に挿入されたとき、ボルトの雄ねじ山部に押圧されてリング体の内周に形成される雌ねじ谷部には弾性的に溝部側に突出した凸部が形成され、該凸部が溝部に嵌合するので、弾性リング体を備えた緩み止めナットにボルトが螺合されたとき、弾性リング体の摩擦力にかかわらず安定した緩み止め効果が得られる。
【図面の簡単な説明】
【０００８】
【図１】ボルトの斜視図である。
【図２】ボルトの平面図である。
【図３】ボルトを雄ねじ部の端面側から見た側面図である。
【図４】緩み止めナットの斜視図である。
【図５】ボルトが緩み止めナットに螺合した状態の斜視図である。
【図６】ボルトが緩み止めナットの弾性リング体と螺合した状態を示す断面図である。
【発明を実施するための形態】
【０００９】
以下、本発明の一実施の形態について図１〜図６に基づいて説明する。図１は、ボルト１の斜視図である。図２はボルト１の平面図である。図３はボルト１を雄ねじ部２の端面３側から見た側面図である。ボルト１の雄ねじ部２には、ボルト１の軸心４方向に沿って溝部５が複数個所形成される。本実施の形態において、溝部５は、雄ねじ部２の周方向に一定の間隔をおいて８箇所形成されているが、これに限定されるものではない。溝部５は、雄ねじ山部６に形成された凹部７がボルト１の軸心４方向に連続して複数個形成されたものである。凹部７は２つの平面８，９によってＶ字状に形成される。第１の面８はボルト１の軸心４を含んだ半径方向の面である。第２の面９は第１の面８から一定の角度傾いた面である。第１の面８と第２の面９との成す角度は、ボルト１の直径に応じた角度とされ、さらに後述する弾性リング体１８の強度を確保するために、たとえば６０°〜９０°の範囲で設定される。
【００１０】
溝部５は片角フライスなどを用いたカッター加工によって形成される。または、２個の組となった転造ダイスの間でボルト１を転がして溝部５を形成することができ、あるいはスプラインダイスを用いて溝部５を形成することもできる。転造あるいはスプラインダイスを用いた加工の場合には加工時間を短縮することができる。
【００１１】
図４は緩み止めナット１５を示す。図５はボルト１が緩み止めナット１５に螺合した状態の斜視図である。緩み止めナット１５として、たとえばロックファスナー製のナイロンナットが用いられる。緩み止めナット１５は、雌ねじ部１６と、雌ねじ部１６と同軸方向に形成されボルト１の軸心４方向に開口した中空凹部１７とを備え、該中空凹部１７に弾性樹脂材からなる弾性リング体１８が挿入される。弾性リング体１８として、たとえば旭化成製の６６ナイロンが用いられ、弾性リング体１８の内径は、緩み止めナット１５の雌ねじ部１６の有効径と等しくされる。中空凹部１７に挿入された弾性リング体１８が回転する恐れがある場合には、弾性リング体１８の雌ねじ部１６側端面が、たとえばかしめられ、あるいはコーキングされて固定される。
【００１２】
ボルト１が緩み止めナット１５に螺合して、ボルト１の雄ねじ部２が弾性リング体１８の内周に挿入されたとき、弾性リング体１８の内周はボルト１の雄ねじ部２に押圧されて、雄ねじ部２と噛合する雌ねじ１９が形成される。図６はボルト１が緩み止めナット１５の弾性リング体１８と螺合した状態を示す断面図である。雄ねじ山部６には凹部７が形成されているので、凹部７には雌ねじ１９谷部から弾性的に突出した凸部２０が順次形成される。ボルト１が締め込まれると、この凸部２０は第２の面９によって雌ねじ１９谷部側に押圧され、雌ねじ１９谷部と一体となって消滅する。
【００１３】
ボルト１と緩み止めナット１５との螺合が完了した状態で、外部から振動や衝撃が加えられると、螺合した雄ねじと雌ねじとの摩擦力に抗してボルト１が緩み方向に回転しようとする。このとき雄ねじ山部６の凹部７には凸部２０が嵌合している。溝部５を形成する第１の面８は、ボルト１の軸心４を含んだ半径方向に形成されているので、凸部２０が第１の面８によって雌ねじ１９谷部側に押圧されて消滅することはなく、ボルト１は第１の面８が凸部２０に当接した状態で固定される。これによってボルト１がさらに緩み方向に回転することが防止される。
【００１４】
このように、雌ねじ部１６と、雌ねじ部１６と同軸上にリング状に形成され弾性を有するリング体１８とを備えた緩み止めナット１５に螺合されるボルト１であって、ボルト１の雄ねじ部２の外周にはボルト１の軸心４方向に沿った溝部５が形成されており、ボルト１が緩み止めナット１５に螺合されて雄ねじ部２がリング体１８に挿入されたとき、ボルト１の雄ねじの山部６に押圧されてリング体１８の内周に形成される雌ねじ１９の谷部には溝部５に突出した凸部２０が形成され、該凸部２０が溝部５に嵌合するので、弾性リング体１８を備えた緩み止めナット１５にボルト１が螺合されたとき、弾性リング体１８の摩擦力にかかわらず安定した緩み止め効果が得られる。
【符号の説明】
【００１５】
１    ボルト
２    雄ねじ部
３    端面
４    軸心
５    溝部
６    雄ねじ山部
７    凹部
８    第１の面
９    第２の面
１５    緩み止めナット
１６    雌ねじ部
１７    中空凹部
１８    弾性リング体
１９    雌ねじ
２０    凸部
【図１】
2013029119.tif 000003
【図２】
2013029119.tif 000004
【図３】
2013029119.tif 000005
【図４】
2013029119.tif 000006
【図５】
2013029119.tif 000007
【図６】
2013029119.tif 000008